(57)【要約】      （修正有）【課題】単一構造の転接管により、その他の管と任意の湾曲角度で転接連結でき、フレーム体の異なる部位に結合することができ、効果的に材料コストを減少させ、消費者が簡単に自身で組み立てを完成することができる多方向転接管構造を提供する。【解決手段】多方向転接管構造は、管１０と転接片２０からなる。管の一端（或いは、両端）は徐々に縮小して、小径の挿結段１１となる。中段が弧状接続部の転接片２０は、両側で外向けに湾曲、延伸して、結合孔２４を有する転接端２３を有し、接続部２１により、管一端を接続し、両側の転接端２３により、横向けの接続管を提供して、任意の湾曲角度に結合することができる。更に、転接端２３の結合孔外周に、螺組できる制限部を有し、ボルトかナットにより固定して、組み立て、分解が迅速に操作できる。【選択図】図１
0003147179.tif 000002
【実用新案登録請求の範囲】
【請求項１】
多方向転接管構造であって、
管状体で、一、或いは、両端に小径の挿結段を有する管と、
中段に接続部を有する片体で、両側に、適当な円弧転接部を有して、外に向かって湾曲し、結合孔を有する転接端を延伸する転接片と、
からなり、前記転接片は、接続部により前記管体一端に接続され、前記転接端が結合する接続管は、前記円弧転接部により、任意の角度に湾曲できることを特徴とする多方向転接管構造。
【請求項２】
前記転接片の転接端は、結合孔を有する弧状片であることを特徴とする請求項1に記載の多方向転接管構造。
【請求項３】
前記転接端は、結合孔を有する平直片構造で、上下両側に制限片を湾曲することを特徴とする請求項1に記載の多方向転接管構造。
【請求項４】
前記転接端は、更に、前記結合孔外周に、一つ、或いは、それ以上の、ボルトやナットにより固定する制限部を有し、組み立て、分解に便利であることを特徴とする請求項1、２、或いは、３に記載の多方向転接管構造。
【請求項５】
前記制限部は、前記結合孔外周に、六辺形槽状構造を凹設してもよいことを特徴とする請求項1、２、或いは、３に記載の多方向転接管構造。
【考案の詳細な説明】
【技術分野】
【０００１】
本考案は、単一転接構造により、フレキシブルにフレーム体の異なる部位に組み合わせ出来る構造に関するものであって、特に、製造者にとって製造が容易で、消費者にとって自身で組み立てでき、効果的に、コストを減少させることができる多方向転接管構造に関するものである。
【背景技術】
【０００２】
公知の園芸や農業栽培ハウスは、早期では、アーチ状管に横向けの支承棒を配列して地面に架設し、遮光網を設置している。アーチ状管の構造は、工場で湾曲成型するので、工場からの運搬にコストがかかる。更に、アーチ状管と横向けの支承棒間の結合は、プロの施工業者でないと施工構造が完成できず、装着使用上、面倒で、不便である。
【０００３】
その後、業者は、ハウスの各管素子と支承棒の間を快速に結合でき、施工が便利な各種転接を開発し、例えば、中華民国（台湾）特許公告第385626号、申請第88201879号の「農業用ハウスの転接構造」考案、中華民国（台湾）公告第339510号、申請第86220473号の「農業用棚の組み合わせ構造」考案、及び、中華民国（台湾）公告第381960号、申請第88103655号の「棚の転接製造方法」発明案などがある。
【考案の開示】
【考案が解決しようとする課題】
【０００４】
本考案の目的は、単一構造の転接管により、その他の管と任意の湾曲角度で転接連結でき、フレーム体の異なる部位に結合することができ、効果的に材料コストを減少させ、消費者が簡単に自身で組み立てを完成することができる多方向転接管構造を提供することである。
【０００５】
本考案のもう一つの目的は、各螺合素子（ボルトやナット）と制限構造により、組み立て、分解が迅速に行われる多方向転接管構造を提供することである。
【課題を解決するための手段】
【０００６】
上述の目的を達成するため、本考案は、管と転接片からなる。管の一端、或いは、両端が徐々に縮小して小径の挿結段をなし、中段が弧状接続部の転接片は、両側は円弧角により外に向かって湾曲、延伸して、結合孔を有する転接端を有し、接続部により、管一端を接続し、両側の転接端により、横向けの接続管を接続して、任意の湾曲角度に結合することができる。更に、転接端の結合孔外周に、制限螺組できる制限部を有し、ボルトかナットにより固定して、組み立て、分解が迅速に操作できる。
【考案の効果】
【０００７】
本考案は、単一構造の転接管により、異なる部位の転接結合に適用でき、材料コストを効果的に減少させ、また、消費者が自身で組み立てるのに便利である。
【考案を実施するための最良の形態】
【０００８】
図１、図２は、本考案の立体、及び、組み合わせ図で、本考案の転接は、管１０により転接片２０を結合してなる。
【０００９】
管１０は管状体で、一端は縮小して、小径の挿結段１１を形成する（両端に形成してもよい）。
【００１０】
転接片２０は中段に弧状の接続部２１を有する金属片で、両側は、適当な円弧角の転接部２２が外に湾曲して、結合孔２４を有する転接端２３を延伸し、転接端２３は、上下両側に、制限素子片２３１を湾曲する。図のように、転接片２０は、管１０円管端に、直接、弧状片構造の転接端２３’を提供することができる。
【００１１】
図２で示されるように、転接片２０を結合する管１０は、転接片２０両側の転接端２３に、接続管３０の扁平連接端３１を螺結素子Aで固定する。
【００１２】
図３は、本考案の転接管と接続管を結合し、異なる転接角度に湾曲する操作図である。転接管１０は、転接片２０両側の転接端２３により接続管３０を接続し、接続管３０は、鎖結固定後、もう一側の円弧角の転接部２２により、転接端２３を湾曲させ、図の矢印のように、適当な角度の角接構造にすることができる。
【００１３】
実際の組み合わせは、図１と図４で示されるように、単一構造の管１０により、縦向きに挿組した後、転接片２０両側の転接端２３により接続管３０両端を水平連結するか、或いは、接続管３０’から転接端２３を湾曲して、異なる角度の連結を呈し、必要に応じて、フレキシブルにハウスフレーム４０に組み立てる。ハウスフレーム４０は、更に、遮光網を被覆して、農業栽培のハウス構造にし、帆布により駐車スペースを構成したり、その他の用途の構造に組み立てることもできる。
【００１４】
図５は、本考案の更なる実施例の立体図で、転接片２０両側の転接端２３の結合孔２４外周に、一つ、或いは、二個以上の凸状の制限部２５を有し、螺結素子A一端（ボルトかナット）により、組み立て分解が迅速に操作できる。断面図で示されるように、接続管３０の扁平連接端３１上は、嵌部３２を有して、制限部２５と嵌合定位する。
【００１５】
更に、結合孔２４外周に、図のような六辺形槽状構造の制限部２６を有し、螺結素子Aにより固定し、組み立て分解が迅速に操作できる。
【図面の簡単な説明】
【００１６】
【図１】本考案の立体図である。
【図２】本考案の接続管を結合した立体図である。
【図３】本考案の転接管と接続管を結合し、異なる転接角度に湾曲する操作図である。
【図４】本考案のフレームに組み立てた立体図である。
【図５】本考案の第二実施例による立体図である。
【図６】本考案の第二実施例による平面図である。
【符号の説明】
【００１７】
管１０
転接片２０
挿結段１１
接続部２１
転接部２２
転接端２３
転接端２３’
制限素子片２３１
結合孔２４
接続管３０
扁平連接端３１
ハウスフレーム４０
螺結素子A
【図１】
0003147179.tif 000003
【図２】
0003147179.tif 000004
【図３】
0003147179.tif 000005
【図４】
0003147179.tif 000006
【図５】
0003147179.tif 000007
【図６】
0003147179.tif 000008